(57)【要約】【課題】本発明は、読取口の幅よりも広い光学情報を読み取れる光学情報読取装置を提供する。【解決手段】光学情報４０に光を照射する投光部１２と、光学情報４０で反射した光を結像する結像部１３と、複数の検出素子１４０００１〜１４２０００を略列状に配置してなり結像部１３で結像された光を受光して電気信号に変換するセンサ部１４と、センサ部１４からの電気信号に基づいて光学情報の情報を復号する復号部１６とを備えた光学情報読取装置１であって、センサ部１４の検出素子の配置方向と光学情報４０の幅方向とが略垂直になるように光学情報読取装置１を移動させて光学情報４０を読取る。【選択図】図１
2005258516.tif 000002
【特許請求の範囲】
【請求項１】
光学情報に光を照射する投光部と、前記光学情報で反射した光を結像する結像部と、複数の検出素子を略列状に配置してなり前記結像部で結像された光を受光して電気信号に変換するセンサ部と、前記センサ部からの電気信号に基づいて光学情報の情報を復号する復号部とを備えた光学情報読取装置により、前記センサ部の検出素子の配置方向と前記光学情報の幅方向とが略垂直になるように光学情報読取装置を移動させて光学情報を読取る光学情報読取方法。
【請求項２】
光学情報に光を照射する投光部と、前記光学情報で反射した光を結像する結像部と、複数の検出素子を略列状に配置してなり前記結像部で結像された光を受光して電気信号に変換するセンサ部と、前記センサ部からの電気信号に基づいて光学情報の情報を復号する復号部と、前記復号部の復号方法を切り換える切換ボタンとを備えた光学情報読取装置であって、前記切換ボタンがＯＦＦの場合には前記センサ部の検出素子の配置方向と前記光学情報の幅方向とが略平行になるときの復号方法を実行し、前記切換ボタンがＯＮの場合には前記センサ部の検出素子の配置方向と前記光学情報の幅方向とが略垂直になるときの復号方法を実行する光学情報読取装置。
【請求項３】
センサ部で変換した電気信号のうち、複数の検出素子の略中心に位置する検出素子の電気信号を最初に復号する請求項１または２記載の光学情報読取装置。
【請求項４】
センサ部で変換した電気信号のうち、複数の検出素子の略中心に位置する検出素子の電気信号を最初に復号し、復号できなかった場合には列状に配置した複数の検出素子の全長うち１つの端から全長の略１／４の位置に設けられた検出素子の電気信号を復号し、これも復号できなかった場合には列状に配置した複数の検出素子の全長のうち他の端から全長の略１／４の位置に設けられた検出素子の電気信号を復号する請求項１光学情報読取方法。
【請求項５】
センサ部で変換した電気信号のうち、複数の検出素子の略中心に位置する検出素子の電気信号を最初に復号し、復号できなかった場合には列状に配置した複数の検出素子の全長うち１つの端から全長の略１／４の位置に設けられた検出素子の電気信号を復号し、これも復号できなかった場合には列状に配置した複数の検出素子の全長のうち他の端から全長の略１／４の位置に設けられた検出素子の電気信号を復号する請求項２光学情報読取装置。
【請求項６】
各検出素子が出力する電気信号を検出素子ごとに積算する積算部を有し、前記積算部の積算結果に基づいて光学情報の高さ方向の両端を検出する請求項２記載の光学情報読取装置。
【請求項７】
検出した両端の略中心に位置する検出素子の電気信号を最初に復号する請求項６記載の光学情報読取装置。
【請求項８】
検出した両端の略中心に位置する検出素子の電気信号を最初に復号し、復号できなかった場合には両端の距離のうち１つの端から略１／４の位置に設けられた検出素子の電気信号を復号し、これも復号できなかった場合にはもう一方の端から略１／４の位置に設けられた検出素子の電気信号を復号する請求項６記載の光学情報読取装置。
【請求項９】
情報を記録するための情報領域と、一定幅の白バーと黒バーにより構成される同期信号を記録するための同期信号領域とを備えた光学情報。
【請求項１０】
同期信号領域の白バーと黒バーの数が光学情報読取装置の検出素子の数より多い請求項９記載の光学情報。
【請求項１１】
情報領域と同期信号領域との間に空白部を設けた請求項９記載の光学情報。
【請求項１２】
情報領域の印刷幅が同期信号領域の印刷幅がより狭い請求項９記載の光学情報。
【請求項１３】
ひとつの情報領域に対し複数の同期信号領域を設け、前記同期信号領域を幅方向にシフトさせたこと請求項９記載の光学情報。
【請求項１４】
各検出素子が出力する電気信号を検出素子ごとに積算する積算部を有し、前記積算部の積算結果に基づいて光学情報の高さ方向の両端を検出し、情報領域と同期信号領域の位置を算出する請求項２記載の光学情報読取装置。
【請求項１５】
算出した情報領域の位置から同期信号領域に近い方の端から略１／４に位置する検出素子の電気信号と同期信号領域の位置から情報領域に近い方の端から略１／４に位置する検出素子の電気信号とを最初に復号する請求項１４記載の光学情報読取装置。
【請求項１６】
同期信号領域の検出素子の電気信号に基づき情報領域の検出素子の電気信号を補正したあと復号する請求項１４記載の光学情報読取装置。
【請求項１７】
センサ部で変換した電気信号のうち、複数の検出素子の一部を記憶する請求項２記載の光学情報読取装置。
【請求項１８】
一回の操作で複数の異なる光学情報を読取る請求項２記載の光学情報読取装置。
【請求項１９】
投光部は光学情報の一部に光を照射する請求項２記載の光学情報読取装置。
【請求項２０】
情報領域と同期信号領域とを備えた光学情報を印刷する光学情報印刷装置であって、光学情報読取装置のセンサ部の検出素子の数と、光学情報読取装置の読取幅の最大値と、光学情報の印刷幅と、情報と同期信号のクロック比率に基づき同期信号領域の白バーと黒バーの数を算出する光学情報印刷装置。
【請求項２１】
情報を記録するための情報領域と一定幅の白バーと黒バーにより構成される同期信号を記録するための同期信号領域とを備えた光学情報と、
前記光学情報を読取る光学情報読取装置と、前記光学情報読取装置と接続され前記光学情報のデータを入力するデータ入力装置の操作方法であって、前記光学情報の印刷幅が前記光学情報読取装置の読取幅より狭い場合は前記光学情報読取装置を略平行に位置して読取り、前記光学情報の印刷幅が前記光学情報読取装置の読取幅より広い場合は前記光学情報読取装置を略垂直に位置させて読取るデータ入力装置の操作方法。
【発明の詳細な説明】
【技術分野】
【０００１】
本発明は、バーコードなどの光学情報を読取る光学情報読取装置に関するものである。
【背景技術】
【０００２】
一般に光学情報読取装置は、読取口と光学情報との間に数センチの距離をおいて読取る離し読み式、読取口を光学情報に接触させて読取る接触式と検出素子をペン形状の読取装置に組み込み操作者が手で光学情報をなぞるように読取るペン式がある。
【０００３】
離し読み式は、焦点距離が読取口から数センチから十数センチ離れた空間にあり、読取光は光学情報読取装置からの距離に依存して扇状に広がるので読取りたい光学情報の幅と読取光の幅が最適になるように光学情報と光学情報読取装置との距離と角度を決めることで、読取口の幅より広い光学情報を読取ることができる。
【０００４】
接触式は、読取口を光学情報に接触させること、および光学情報を読取る範囲（以下、焦点距離という）が読取口近傍に限定されること、さらに投光部から照射される読取光は点灯または点滅しているため、光学情報と光学情報読取装置との位置決めが容易である。
【０００５】
しかし、接触式は読取れる光学情報の幅が光学情報読取装置の読取口の幅に依存するので、読取口の幅より広い光学情報を読取る場合は、読取口の幅の広い光学情報読取装置を使用する必要があった。
【０００６】
ペン式は、構造が簡単であるが、基本的に１回の操作で１個のデータを取り込み復号する方式であり、複数回データを取り込みベリファイ比較することができなかった。このため、ペン式は読取結果の信頼性が低かった。また、操作者が光学情報をなぞるときの速度を一定するのが難しく、読取精度に限界があった。
【０００７】
なお、ペン式光学情報読取装置の読取精度を向上させる構造として、光ファイバーを内蔵したペン式の光学読取装置が公開されている（例えば、特許文献１参照）。
【特許文献１】特開２００２−２５９９０４号公報（第１図、第２図）
【発明の開示】
【発明が解決しようとする課題】
【０００８】
しかしながら、上記離し読み式は、読取れる光学情報の幅が広いもののレーザ光源や読取光のスキャン機構部を具備するためコストが高く、物流管理などの一部に限定されて使用されている。また、レーザ光は目の負担になると言われており、一般のコンビニのＰＯＳシステムなどには普及していない。
【０００９】
本発明は、上記課題に鑑み、読取口の幅よりも広い光学情報を読み取れる光学情報読取装置を提供することを目的とする。
【課題を解決するための手段】
【００１０】
上記目的を達成するために、本発明の光学情報読取装置は、光学情報に光を照射する投光部と、前記光学情報で反射した光を結像する結像部と、複数の検出素子を略列状に配置してなり前記結像部で結像された光を受光して電気信号に変換するセンサ部と、前記センサ部からの電気信号に基づいて光学情報の情報を復号する復号部とを備えた光学情報読取装置であって、前記センサ部の検出素子の配置方向と前記光学情報の幅方向とが略垂直になるように光学情報読取装置を移動させて光学情報を読取る。
【００１１】
この構成によれば、光学情報読取装置は読取口の幅よりも広い光学情報を読み取れる。
【００１２】
また、本発明の光学情報読取装置は、光学情報に光を照射する投光部と、前記光学情報で反射した光を結像する結像部と、複数の検出素子を略列状に配置してなり前記結像部で結像された光を受光して電気信号に変換するセンサ部と、前記センサ部からの電気信号に基づいて光学情報の情報を復号する復号部と、前記復号部の復号方法を切り換える切換ボタンとを備えた光学情報読取装置であって、前記切換ボタンがＯＦＦの場合には前記センサ部の検出素子の配置方向と前記光学情報の幅方向とが略平行になるときの復号方法を実行し、前記切換ボタンがＯＮの場合には前記センサ部の検出素子の配置方向と前記光学情報の幅方向とが略垂直になるときの復号方法を実行する。
【００１３】
この構成によれば、光学情報読取装置は切換ボタンを操作することにより、１台でセンサ部の検出素子の配置方向と光学情報の幅方向とが略平行になるときの復号方法とセンサ部の検出素子の配置方向と光学情報の幅方向とが略垂直になるときの復号方法のふたつを切り換えて実行することができる。
【００１４】
また、本発明の光学情報読取装置は、センサ部で変換した電気信号のうち、複数の検出素子の略中心に位置する検出素子の電気信号を最初に復号する。
【００１５】
この構成によれば、光学情報読取装置は、最も安定していると思われる電気信号を最初に復号することができ、復号に要する時間を短くできる。
【００１６】
また、本発明の光学情報読取装置は、センサ部で変換した電気信号のうち、複数の検出素子の略中心に位置する検出素子の電気信号を最初に復号し、復号できなかった場合には列状に配置した複数の検出素子の全長うち１つの端から全長の略１／４の位置に設けられた検出素子の電気信号を復号し、これも復号できなかった場合には列状に配置した複数の検出素子の全長のうち他の端から全長の略１／４の位置に設けられた検出素子の電気信号を復号する。
【００１７】
この構成によれば、光学情報読取装置は、略中心部の次に安定していると思われる電気信号を復号することができ、復号に要する時間を短くできる。
【００１８】
また、本発明の光学情報読取装置は、各検出素子が出力する電気信号を検出素子ごとに積算する積算部を有し、前記積算部の積算結果に基づいて光学情報の高さ方向の両端を検出する。
【００１９】
この構成によれば、光学情報読取装置は、光学情報の高さ方向の両端を検出することにより、電気信号の分布を確定できる。
【００２０】
また、本発明の光学情報読取装置は、検出した両端の略中心に位置する検出素子の電気信号を最初に復号する。
【００２１】
この構成によれば、光学情報読取装置は、高さ方向の略中心部にあり最も安定していると思われる電気信号を最初に復号することができ、復号に要する時間を短くできる。
【００２２】
また、本発明の光学情報読取装置は、検出した両端の略中心に位置する検出素子の電気信号を最初に復号し、復号できなかった場合には両端の距離のうち１つの端から略１／４の位置に設けられた検出素子の電気信号を復号し、これも復号できなかった場合にはもう一方の端から略１／４の位置に設けられた検出素子の電気信号を復号する。
【００２３】
この構成によれば、光学情報読取装置は、高さ方向の略中心部にあり略中心部の次に安定していると思われる電気信号を復号することができ、復号に要する時間を短くできる。
【００２４】
また、本発明の光学情報は、情報を記録するための情報領域と、一定幅の白バーと黒バーにより構成される同期信号を記録するための同期信号領域とを備えている。
【００２５】
この構成によれば、光学情報は、光学情報読取装置に対し、情報と同期信号のふたつを提供できる。
【００２６】
また、本発明の光学情報は、同期信号領域の白バーと黒バーの数が光学情報読取装置の検出素子の数より多い。
【００２７】
この構成によれば、光学情報は、光学情報読取装置に対し、光学情報読取装置の検出素子の数より多い同期信号を提供できるので、読取精度を向上させることができる。
【００２８】
また、本発明の光学情報は、情報領域と同期信号領域との間に空白部を設けている。
【００２９】
この構成によれば、光学情報は、情報と空白部と同期信号の３つを提供できるので、光学情報読取装置は、情報と同期信号を容易に分離できる。
【００３０】
また、本発明の光学情報は、情報領域の印刷幅が同期信号領域の印刷幅がより狭い。
【００３１】
この構成によれば、光学情報は、情報領域の端部の電気信号も安定して検出できるので、読取精度を向上させることができる。
【００３２】
また、本発明の光学情報は、ひとつの情報領域に対し複数の同期信号領域を設け、前記同期信号領域を幅方向にシフトさせた。
【００３３】
この構成によれば、光学情報は、同期信号領域の白バーと黒バーの印刷幅より幅の同期信号を提供できるので、読取精度を向上させることができる。
【００３４】
また、本発明の光学情報読取装置は、各検出素子が出力する電気信号を検出素子ごとに積算する積算部を有し、前記積算部の積算結果に基づいて光学情報の高さ方向の両端を検出し、情報領域と同期信号領域の位置を算出する。
【００３５】
この構成によれば、光学情報読取装置は、光学情報の高さ方向の情報領域と同期信号領域の両端を検出することにより、電気信号の分布を確定できる。
【００３６】
また、本発明の光学情報読取装置は、算出した情報領域の位置から同期信号領域に近い方の端から略１／４に位置する検出素子の電気信号と同期信号領域の位置から情報領域に近い方の端から略１／４に位置する検出素子の電気信号とを最初に復号する。
【００３７】
この構成によれば、光学情報読取装置は、最も安定していると思われる電気信号を最初に復号することができ、復号に要する時間を短くできる。
【００３８】
また、本発明の光学情報読取装置は、同期信号領域の検出素子の電気信号に基づき情報領域の検出素子の電気信号を補正したあと復号する。
【００３９】
この構成によれば、光学情報読取装置は、情報領域の検出素子の電気信号を補正した後復号することができ、読取精度を向上させることができる。
【００４０】
また、本発明の光学情報読取装置は、センサ部で変換した電気信号のうち、複数の検出素子の一部を記憶する。
【００４１】
この構成によれば、光学情報読取装置は、電気信号を記憶するためのメモリ容量を削減できるので製造コストを下げることができる。
【００４２】
また、本発明の光学情報読取装置は、一回の操作で複数の異なる光学情報を読取る。
【００４３】
この構成によれば、光学情報読取装置は、読取操作回数を削減することができる。
【００４４】
また、本発明の光学情報読取装置は、投光部は光学情報の一部に光を照射する。
【００４５】
この構成によれば、操作者が光学情報読取装置の投光エリアに光学情報を位置するように誘導することができる。
【００４６】
また、本発明の光学情報印刷装置は、情報領域と同期信号領域とを備えた光学情報を印刷する光学情報印刷装置であって、光学情報読取装置のセンサ部の検出素子の数と、光学情報読取装置の読取幅の最大値と、光学情報の印刷幅と、情報と同期信号のクロック比率に基づき同期信号領域の白バーと黒バーの数を算出する。
【００４７】
この構成によれば、光学情報印刷装置は、光学情報の印刷幅を入力するだけで同期信号領域の印刷幅と同期信号領域の白バーと黒バーの数を自動的に算出できる。
【００４８】
また、本発明のデータ入力装置の操作方法は、情報を記録するための情報領域と一定幅の白バーと黒バーにより構成される同期信号を記録するための同期信号領域とを備えた光学情報と、前記光学情報を読取る光学情報読取装置と、前記光学情報読取装置と接続され前記光学情報のデータを入力するデータ入力装置の操作方法であって、前記光学情報の印刷幅が前記光学情報読取装置の読取幅より狭い場合は前記光学情報読取装置を略平行に位置して読取り、前記光学情報の印刷幅が前記光学情報読取装置の読取幅より広い場合は前記光学情報読取装置を略垂直に位置させて読取る。
【００４９】
この構成によれば、データ入力装置の操作方法は、１個の光学情報読取装置で光学情報読取装置の読取幅より狭い光学情報から光学情報読取装置の読取幅より広い光学情報までも精度よく読取ることができる。
【発明の効果】
【００５０】
以上のように本発明によると、１個の光学情報読取装置で光学情報読取装置の読取幅より狭い光学情報から光学情報読取装置の読取幅より広い光学情報までも精度よく読取ることができるという多大な効果を奏する。
【００５１】
また、一回の操作で複数の異なる光学情報を読取ることにより、読取操作回数を削減することができるという効果もある。
【発明を実施するための最良の形態】
【００５２】
（実施の形態１）
本発明の光学情報読取装置について説明する。
【００５３】
図１は、光学情報読取装置のブロック構成図を示す図である。図１において、１は本発明の光学情報読取装置である。１１は、光学情報読取装置１全体を制御する制御部であり、例えばＣＰＵを使用する。１２は、光学情報に照射する読取光を照射する投光部であり、例えばＬＥＤを使用する。
【００５４】
１３は、投光部１２が照射した読取光が光学情報において反射され、この反射光をセンサ部１４に結像させる結像部であり、例えばミラーとレンズを使用する。１４は、複数の検出素子を略列状に配置してなり結像部１３で結像された反射光を受光して電気信号に変換するセンサ部であり、例えばＣＣＤを使用する。
【００５５】
１５は、制御プログラムやデータを一時的に記憶する記憶部であり、例えばＲＯＭやＲＡＭを使用する。記憶部１５は、復号部１６から復号した情報を入力し記憶する。また、記憶部１５は復号した情報を複数記憶することができる。１６は、センサ部１４からの電気信号に基づいて光学情報の情報を復号する復号部である。復号部１６は復号結果が正常の場合、当該情報を記憶部１５に出力する。なお、光学情報は例えばチェックデジットを有しており、チェックデジットを検証することにより復号結果の正常または異常を確認できる。
【００５６】
１７は、復号部１６の復号方法を切り換える切換ボタンであり、例えばタップスイッチを使用する。光学情報読取装置１は、切換ボタン１７がＯＦＦの場合にはセンサ部１４の検出素子の配置方向と光学情報の幅方向とが略平行になるときの復号方法を実行し、切換ボタン１７がＯＮの場合にはセンサ部１４の検出素子の配置方向と光学情報の幅方向とが略垂直になるときの復号方法を実行する。
【００５７】
１８は、センサ部１４の各検出素子が出力する電気信号を検出素子ごとに積算する積算部である。１９は、外部機器と通信する通信部であり、例えばＲＳ２３２ＣやＵＳＢを使用する。
【００５８】
図２は、光学情報読取装置の外観図であり、（ａ）は上面図、（ｂ）はＡ−Ａ‘における断面図、（ｃ）はセンサ部の検出素子の配置方法を示す図である。
【００５９】
図２（ａ）において、光学情報読取装置１の右側面には切換ボタン１７が設けられている。また、光学情報読取装置１の内部には投光部１２と結像部１３を形成するミラー１３１とレンズ１３２、センサ部１４が配置されており、それぞれ点線で表記している。なお、本実施の形態では、光学情報４０の印刷方向に従い、高さ方向と幅方向を図のように定義する。
【００６０】
図２（ｂ）において、光学情報読取装置１の下面には読取口３０が設けられており、読取光は読取口３０から光学情報に向けて照射され、光学情報４０で反射され、その反射光がミラー１３１で反射されて、レンズ１３２を経てセンサ部１４に結像する。
【００６１】
図２（ｃ）において、センサ部１４は複数の検出素子を略列状に配置してなり結像部１３で結像された光を受光して電気信号に変換する。なお、本実施の形態では２０００個の検出素子を配置するセンサ部１４を一実施例として説明する。センサ部１４は、反射光の入射方向から見て左から順に検出素子１４０００１から検出素子１４２０００までの２０００個の検出素子を配置する。
【００６２】
光学情報読取装置１は、切換ボタン１７がＯＦＦの場合にはセンサ部１４の検出素子の配置方向と光学情報４０の幅方向とが略平行になるとき（以下、水平読取という）の復号方法を実行し、切換ボタン１７がＯＮの場合にはセンサ部１４の検出素子の配置方向と光学情報４０の幅方向とが略垂直になるとき（以下、垂直読取という）の復号方法を実行する。
【００６３】
操作者は光学情報読取装置１を右手で持ち、右手人差し指で切換ボタン１７を操作する。図３は、光学情報読取装置の垂直読取の読取状態を示す図であり、（ａ）は読取開始時、（ｂ）は読取完了時である。
【００６４】
図３（ａ）において、操作者は光学情報読取装置１を右手で持ち、右手人差し指で切換ボタン１７を押下しながら、移動方向の示す方向に光学情報４０をなぞるように略一定の速度で移動させる。なお、センサ部１４の検出素子の配置方向は、光学情報４０の幅方向と略垂直の状態を保持する。
【００６５】
なお、投光部１２のうち略中心にある１個のみを点灯させ、ほかの投光部１２消灯とさせ、光学情報の一部に光を照射するようにし、操作者が読取口３０の略中心になるように光学情報読取装置１と光学情報４０の位置を調整するよう誘導してもよい。
【００６６】
図３（ｂ）において、操作者は読取口３０が光学情報４０の右端を過ぎるまで光学情報読取装置１を移動させ、切換ボタン１７を戻す。図３（ａ）、（ｂ）に示すように、操作者は光学情報読取装置１を光学情報４０をなぞるように移動させることで、印刷幅の広い光学情報を読取ることができる。
【００６７】
次に復号処理の対象となる検出素子の電気信号の選択方法について説明する。光学情報読取装置１は、切換ボタン１７がＯＮになった時点から、検出素子１４０００１から検出素子１４２０００までの出力を記憶部１５に記憶し、切換ボタン１７がＯＦＦになった時点で記憶を終了する。従って、記憶部１５には、検出素子の電気信号が時系列に記憶されことになる。
【００６８】
復号部１６は、記憶部１５に記憶されている検出素子の電気信号のうち、検出素子の略中心に位置する検出素子、本実施の形態においては検出素子１４１０００の前後の電気信号を最初に復号する。
【００６９】
図３（ａ）と（ｂ）に示すように、操作者は光学情報４０を読取口３０の略中心に位置させる確率が最も高いと思われる。光学情報読取装置１は、検出素子１４１０００の前後の電気信号を最初に復号することで、最も安定していると思われる電気信号を最初に復号することができ、復号に要する時間を短くできる。
【００７０】
さらに、光学情報読取装置１は、センサ部で変換した電気信号のうち、複数の検出素子の略中心に位置する検出素子（本実施の形態においては検出素子１４１０００の前後）の電気信号を最初に復号し、復号できなかった場合には列状に配置した複数の検出素子の全長うち１つの端から全長の略１／４の位置に設けられた検出素子（本実施の形態においては検出素子１４０５００の前後）の電気信号を復号し、これも復号できなかった場合には列状に配置した複数の検出素子の全長のうち他の端から全長の略１／４の位置に設けられた検出素子（本実施の形態においては検出素子１４１５００の前後）の電気信号を復号する。光学情報読取装置は、略中心部の次に安定していると思われる電気信号（本実施の形態においては検出素子１４０５００の前後および検出素子１４１５００の前後）を復号することができ、復号に要する時間を短くできる。
【００７１】
次に積算処理について説明する。
【００７２】
図４は、読取光の照射状態を示す図であり、（ａ）は記憶部１５の電気信号の記憶状態を示す図、（ｂ）は光学情報の高さ方向の両端を検出した状態を示す図である。
【００７３】
図４（ａ）において、記憶部１５は、検出素子毎に電気信号をビット列として記憶しておりしており、このビット列を積算することにより積算結果が得られる。なお、操作者は光学情報４０を読取口３０の略中心に位置させる確率が最も高いと思われるので、検出素子の端部は、１ビット（反射光なし）が多くなる。
【００７４】
図４（ｂ）において、上段はセンサ部１４の検出素子の配置状態を示しており、下段は積算結果のヒストグラムである。ヒストグラムは、縦軸に積算結果、横軸に検出素子を取り、検出素子毎に積算結果を表記している。積算結果に大きな差が発生する部分を見つけることにより、光学情報の高さ方向の両端を検出することができる。
【００７５】
なお、記憶部１５に記憶する検出素子毎に電気信号を一部に限定することで記憶部１５の容量を削減できる。例えば検出素子の１０分の１を記憶することにすれば記憶部１５の容量を１０分の１とすることができる。
【００７６】
図３（ａ）と（ｂ）に示すように、操作者は光学情報４０を読取口３０の略中心に位置させる確率が最も高いと思われる。しかし、操作者が不慣れな場合は読取口３０の略中心から外れた位置になることが考えられる。光学情報読取装置１は、両端の略中心に位置する検出素子の電気信号を最初に復号することで、操作者が実際に読取させた位置を考慮して最も安定していると思われる電気信号を最初に復号することができ、復号に要する時間を短くできる。
【００７７】
さらに、光学情報読取装置１は、センサ部で変換した電気信号のうち、両端の略中心に位置する検出素子の電気信号を最初に復号し、復号できなかった場合には検出した両端の略中心に位置する検出素子の電気信号を最初に復号し、復号できなかった場合には両端の距離のうち１つの端から略１／４の位置に設けられた検出素子の電気信号を復号し、これも復号できなかった場合にはもう一方の端から略１／４の位置に設けられた検出素子の電気信号を復号することができ、復号に要する時間を短くできる。
【００７８】
（実施の形態２）
次に本発明の光学情報について説明する。
【００７９】
図５は、光学情報の外観図である。
【００８０】
図５において、５０は本発明の光学情報であり、５１が一定幅の白バーと黒バーにより構成される同期信号を記録するための同期信号領域、５２が情報を記録するための情報領域である。
【００８１】
同期信号領域の白バーと黒バーの数は、光学情報読取装置１の検出素子の数より多くなっている。光学情報５０の単位長さ当たりの検出素子の数は、光学情報読取装置１のハード構成により決定される。本実施の形態では、光学情報読取装置１で水平読取する場合の光学情報５０の限界読取幅を３０ｍｍとし、検出素子の数を２０００個とすると、光学情報５０の単位長さ当たりの検出素子の数は、６６．７個／ｍｍである。次に光学情報読取装置１で印刷幅６０ｍｍの光学情報５０を垂直読取する場合は、単位長さ当たりの検出素子の数と光学情報５０の印刷幅を乗算することにより、白バーと黒バーの数は少なくとも４０００となる。なお、ここに提示した数値は一実施例であり、これらの数値に限定されるものではない。
【００８２】
また、情報領域５２と同期信号領域５１との間に空白部５３を設けている。
【００８３】
情報領域５２の印刷幅は、同期信号領域５１の印刷幅がより狭くなっており、光学情報読取装置１で垂直読取を行う場合に、情報領域５２の両端部分のバーを安定して検出できるようにしている。
【００８４】
また、同期信号領域の白バーと黒バーの数は、光学情報読取装置１の検出素子の数より多くなっている。光学情報５０の単位長さ当たりの検出素子の数は、光学情報読取装置１のハード構成により決定される。本実施の形態では、光学情報読取装置１で水平読取する場合の光学情報５０の限界読取幅を３０ｍｍとし、検出素子の数を２０００個とすると、光学情報５０の単位長さ当たりの検出素子の数は、６６．７個／ｍｍである。次に光学情報読取装置１で印刷幅６０ｍｍの光学情報５０を垂直読取する場合は、白バーと黒バーの数は少なくとも４０００となる。
【００８５】
図６は、複数の同期信号領域を有する光学情報の外観図であり、（ａ）は本発明の複数の同期信号領域を有する光学情報の全体図、（ｂ）は同期信号領域のＢ部の拡大図である。
【００８６】
図６（ａ）において、５４は本発明の複数の同期信号領域を有する光学情報であり、５５が一定幅の白バーと黒バーにより構成される同期信号を記録するための第一の同期信号領域、５６が一定幅の白バーと黒バーにより構成される同期信号を記録するための第二の同期信号領域である。
【００８７】
図６（ｂ）において、第一の同期信号領域５５と第二の同期信号領域５６は、バーの２分の１幅分シフトさせた位置となっている。
【００８８】
光学情報印刷装置の印刷精度の限界により、バー幅を狭くできない場合は、同期信号領域を複数設け、それぞれの同期信号領域を幅方向にシフトさせた位置とすることで、光学情報印刷装置の印刷精度の限界を越えた同期信号を生成することができる。
【００８９】
（実施の形態３）
次に本発明の光学情報の読取方法について説明する。
【００９０】
図７は、光学情報５０の光学情報読取装置による垂直読取の読取状態を示す図であり、（ａ）は読取開始時、（ｂ）は読取完了時である。
【００９１】
図７（ａ）において、操作者は光学情報読取装置１を右手で持ち、右手人差し指で切換ボタン１７を押下しながら、移動方向の示す方向に光学情報５０をなぞるように略一定の速度で移動させる。なお、センサ部１４の検出素子の配置方向は、光学情報５０の幅方向と略垂直の状態を保持する。
【００９２】
図７（ｂ）において、操作者は読取口３０が光学情報５０の右端を過ぎるまで光学情報読取装置１を移動させ、切換ボタン１７を戻す。
【００９３】
図７（ａ）、（ｂ）に示すように、操作者は光学情報読取装置１を光学情報５０をなぞるように移動させることで、印刷幅の広い光学情報を読取ることができる。
次に積算処理について説明する。
【００９４】
図８は、読取光の照射状態を示す図であり、（ａ）は記憶部１５の電気信号の記憶状態を示す図、（ｂ）は光学情報の高さ方向の両端を検出した状態を示す図である。
【００９５】
図８（ａ）において、記憶部１５は、検出素子毎に電気信号をビット列として記憶しておりしており、このビット列を積算することにより積算結果が得られる。なお、操作者は光学情報５０を読取口３０の略中心に位置させる確率が最も高いと思われるので、検出素子の端部は、１ビット（反射光なし）が多くなる。
【００９６】
図８（ｂ）において、上段はセンサ部１４の検出素子の配置状態を示しており、下段は積算結果のヒストグラムである。ヒストグラムは、縦軸に積算結果、横軸に検出素子を取り、検出素子毎に積算結果を表記している。積算結果に大きな差が発生する部分を見つけることにより、光学情報の高さ方向の両端を検出することができる。図８（ｂ）では、同期信号領域の両端と情報領域の両端のふたつが検出される。
【００９７】
図７（ａ）と（ｂ）に示すように、操作者は光学情報５０を読取口３０の略中心に位置させる確率が最も高いと思われる。しかし、同期信号領域と情報領域があるのでそれぞれの中心は読取口３０の略中心から外れた位置になる。光学情報読取装置１は、算出した情報領域の位置から同期信号領域に近い方の端から略１／４に位置する検出素子の電気信号と同期信号領域の位置から情報領域に近い方の端から略１／４に位置する検出素子の電気信号とを最初に復号することで、同期信号領域と情報領域のそれぞれの最も安定していると思われる電気信号を最初に復号することができ、復号に要する時間を短くできる。
【００９８】
（実施の形態４）
次に本発明の光学情報の補正方法について説明する。
【００９９】
同期信号領域の白バーと黒バーは同じ幅で印刷しているので、操作者が光学情報読取装置１を操作するとき、一定の速度で移動させれば、同じ幅のビット列として記憶部１５に記憶されるはずである。しかし、実際には光学情報読取装置１を一定の速度で移動させることは困難である。この点がペン式の読取精度の限界となっていた。
【０１００】
図９は、光学情報の補正方法を示す図であり、（ａ）は補正前の基準クロックと同期信号と情報、（ｂ）は補正後の基準クロックと同期信号と情報を示す図である。
本実施の形態では、正常時は基準クロックの６クロックが同期信号の１クロックに相当し、同期信号の２クロック（基準クロックの１２クロック）が情報を構成する最小単位（以下、セルという）に相当するものとして説明する。
【０１０１】
図９（ａ）において、上段は基準クロック、中段は同期信号、下段は情報である。左から順に同期信号を第一の同期信号、第二の同期信号、第三の同期信号、第四の同期信号とする。各同期信号のクロック幅は、光学情報読取装置１を移動させる速度に差があるので、第一の同期信号はクロック幅が基準クロックの５．５クロックである。以下同様に、第二の同期信号は、クロック幅が基準クロックの５．５クロックである。第三の同期信号は、クロック幅が基準クロックの７クロックである。第四の同期信号は、クロック幅が基準クロックの６クロックである。
【０１０２】
また、情報のセル幅も同期信号と連動する。情報のセル幅は、左側半分が基準クロックの１１クロック、右側半分が基準クロックの１３クロックとなり、合計では基準クロックの２４クロックである。
【０１０３】
図９（ｂ）において、上段は基準クロック、中段は同期信号、下段は情報である。同期信号のクロック幅が基準クロックの３クロックと同じになるように補正を行い、当該同期信号に適用した補正係数を情報のセルにも適用することで情報のセル幅の補正を行う。
【０１０４】
光学情報読取装置１は、上記補正を行ったあと復号する。
【０１０５】
以上説明したように、本発明の光学情報読取装置１によれば、同期信号領域の検出素子の電気信号に基づき情報領域の検出素子の電気信号を補正したあと復号することができるので、読取精度を向上させることができる。
【０１０６】
（実施の形態４）
図１０は、光学情報の外観図である。
【０１０７】
図１０において、５７は本発明の光学情報であり、５１が一定幅の白バーと黒バーにより構成される同期信号を記録するための同期信号領域、５８が情報を記録するための第一の情報領域、５９が情報を記録するための第二の情報領域である。
【０１０８】
光学情報を上記のような構成とすることにより、光学情報読取装置１による垂直読取を実行することで、一回の操作で複数の異なる光学情報を読取ることができる。
【０１０９】
（実施の形態５）
本発明の光学情報印刷装置７０は、情報領域と同期信号領域とを備えた光学情報を印刷する。
【０１１０】
光学情報印刷装置７０の同期信号領域の白バーと黒バーの数の算出方法を説明する。
【０１１１】
光学情報印刷装置７０は、光学情報読取装置１の読取能力を示す値として、光学情報読取装置１の検出素子の総数と水平読取における読取幅の最大値を入力し、光学情報の単位長さ当たりの検出素子の数を算出する。
【０１１２】
次に、光学情報印刷装置７０は今回印刷する光学情報５０の印刷幅を入力し、先に算出した単位長さ当たりの検出素子の数と乗算し、今回印刷する光学情報５０を復号するために必要な検出素子の数を算出する。
【０１１３】
実施の形態３に示すように、情報の１クロックが同期信号の４クロックに相当する場合は先に算出した光学情報５０を復号するために必要な検出素子の数に４を乗算することにより、同期信号領域の白バーと黒バーの数を算出する。
【０１１４】
なお、ここに提示した数値は一実施例であり、これらの数値に限定されるものではない。
【０１１５】
また、同期信号領域の白バーと黒バーの数が多すぎて、光学情報印刷装置７０の印刷精度を超えた場合は、図６に示すように同期信号領域を複数段に印刷する。
光学情報印刷装置７０は、今回印刷する光学情報５０の印刷幅に一定比率を乗算して同期信号領域の印刷幅を算出する。一定比率は、左右両端に白マージンを確保できように１．１以上とする。
【０１１６】
（実施の形態６）
本発明のデータ入力装置８０の操作方法を説明する。
【０１１７】
データ入力装置８０は、情報を記録するための情報領域と一定幅の白バーと黒バーにより構成される同期信号を記録するための同期信号領域とを備えた光学情報５０と、
光学情報５０を読取る光学情報読取装置１とを備え、光学情報読取装置１から光学情報５０のデータを入力する。
【０１１８】
操作者は、光学情報５０の印刷幅が光学情報読取装置１の読取幅より狭い場合は光学情報読取装置を略平行に位置して読取り、光学情報５０の印刷幅が光学情報読取装置１の読取幅より広い場合は光学情報読取装置１の切換ボタン１７押下して光学情報読取装置１を略垂直に位置させて読取る。
【０１１９】
以上説明したように、データ入力装置８０は光学情報５０の印刷幅に依存して、その読取方法を変えることで、１台の光学情報読取装置１で印刷幅の狭い光学情報５０から印刷幅の広い光学情報５０まで読取ることができる。
【産業上の利用可能性】
【０１２０】
本発明の光学情報読取装置は、１台の光学情報読取装置で印刷幅の狭い光学情報から印刷幅の広い光学情報まで読取ることができ、またペン式を上回る信頼性と読取精度を提供することができるので、光学情報読取装置などに有用である。
【図面の簡単な説明】
【０１２１】
【図１】本発明の実施の形態に係る光学情報読取装置のブロック構成図を示す図
【図２】本発明の実施の形態に係る光学情報読取装置の外観図を示す図（ａ）は光学情報読取装置の上面図（ｂ）は光学情報読取装置のＡ−Ａ‘における断面図（ｃ）は光学情報読取装置のセンサ部の検出素子の配置方法を示す図
【図３】本発明の実施の形態に係る光学情報読取装置の垂直読取の読取状態を示す図（ａ）は読取開始時の光学情報読取装置の垂直読取の読取状態を示す図（ｂ）は読取完了時の光学情報読取装置の垂直読取の読取状態を示す図
【図４】本発明の実施の形態に係る読取光の照射状態を示す図（ａ）は記憶部の電気信号の記憶状態を示す図（ｂ）は光学情報の高さ方向の両端を検出した状態を示す図
【図５】本発明の実施の形態に係る光学情報の外観図
【図６】本発明の実施の形態に係る複数の同期信号領域を有する光学情報の外観図  （ａ）は複数の同期信号領域を有する光学情報の全体図（ｂ）は同期信号領域のＢ部の拡大図
【図７】本発明の実施の形態に係る光学情報５０の光学情報読取装置による垂直読取の読取状態を示す図（ａ）は読取開始時の光学情報５０の光学情報読取装置による垂直読取の読取状態を示す図（ｂ）は読取完了時の光学情報５０の光学情報読取装置による垂直読取の読取状態を示す図
【図８】本発明の実施の形態に係る読取光の照射状態を示す図（ａ）は記憶部の電気信号の記憶状態を示す図（ｂ）は光学情報の高さ方向の両端を検出した状態を示す図
【図９】本発明の実施の形態に係る光学情報の補正方法を示す図（ａ）は補正前の基準クロックと同期信号と情報を示す図（ｂ）は補正後の基準クロックと同期信号と情報を示す図
【図１０】本発明の実施の形態に係る光学情報の外観図
【符号の説明】
【０１２２】
１    光学情報読取装置
１１  制御部
１２  投光部
１３  結像部
１４  センサ部
１５  記憶部
１６  復号部
１７  切換ボタン
１８  積算部
１９  通信部
２０  記憶部
２１  タイマー
２２  復号部
２３  判定部
２４  電池検出部
３０  読取口
４０、５０、５４、５７  光学情報
５２、５８、５９  情報領域
５３  空白部
５１、５５、５６  同期信号領域
１３１  ミラー
１３２  レンズ
１４０００１−１４２０００  検出素子
【図１】
2005258516.tif 000003
【図２】
2005258516.tif 000004
【図３】
2005258516.tif 000005
【図４】
2005258516.tif 000006
【図５】
2005258516.tif 000007
【図６】
2005258516.tif 000008
【図７】
2005258516.tif 000009
【図８】
2005258516.tif 000010
【図９】
2005258516.tif 000011
【図１０】
2005258516.tif 000012